(57)【特許請求の範囲】
【請求項１】
土入れ及び播種及び覆土の一連の播種作業を行う複数系列の播種台と、作業室の２階から１階の前記各播種台に育苗箱を供給する供給装置とを備えてなる播種施設において、
前記供給装置からの前記育苗箱を前記各播種台に振分ける振分けコンベアと、
前記振分けコンベアからの前記育苗箱を前記各播種台の投入位置にそれぞれ搬送する複数の横送りコンベアと、
前記振分けコンベアの振分け位置に対して少なくとも１箱分手前で前記育苗箱を待機させる振分け待機ストッパと、
前記各横送りコンベアの送り終端に対して少なくとも１箱分手前で前記育苗箱をそれぞれ待機させる横送り待機ストッパと、
前記育苗箱を前記各横送りコンベアから前記各播種台にそれぞれ移動させる複数の投入部材とを備えたことを特徴とする播種施設。
【発明の詳細な説明】
【０００１】
【発明の属する技術分野】
本発明は１箱毎の育苗箱がコンベア上で順次移動する間に、土入れ及び播種及び覆土の一連の播種作業を自動で行うようにした播種施設に関する。
【０００２】
【発明が解決しようとする課題】
従来、上述の如き土入れ及び播種及び覆土を一連に行う播種工程を複数系列備える場合、育苗箱の供給を行う箱供給装置も、播種工程の系列数に応じた数だけ配置していた。このため広い敷地面積の確保が必要となったり、建設費が高くなるなどの経済上の問題があった。
【０００３】
【課題を解決するための手段】
請求項１に係る発明によれば、土入れ及び播種及び覆土の一連の播種作業を行う複数系列の播種台と、作業室の２階から１階の前記各播種台に育苗箱を供給する供給装置とを備えてなる播種施設において、前記供給装置からの前記育苗箱を前記各播種台に振分ける振分けコンベアと、前記振分けコンベアからの前記育苗箱を前記各播種台の投入位置にそれぞれ搬送する複数の横送りコンベアと、前記振分けコンベアの振分け位置に対して少なくとも１箱分手前で前記育苗箱を待機させる振分け待機ストッパと、前記各横送りコンベアの送り終端に対して少なくとも１箱分手前で前記育苗箱をそれぞれ待機させる横送り待機ストッパと、前記育苗箱を前記各横送りコンベアから前記各播種台にそれぞれ移動させる複数の投入部材とを備えたものであるから、例えばエレベータなどを含む育苗箱供給装置をコンパクト化できて、建設コストを低減できるものである。
【０００４】
【発明の実施の形態】
以下本発明の実施例を図面に基づいて詳述する。図１は播種施設の平面説明図、図２は同側面説明図であり、図中（１）は土入れ機（２）及び播種機（３）及び覆土機（４）を備える播種台、（５）は前記土入れ機（２）の上方に備えて床土を貯留する床土タンク、（６）は前記播種機（３）の上部に備えて種子を貯留する種子供給タンク、（７）は前記覆土機（４）の上方に備えて覆土を貯留する覆土タンクであり、播種台（１）の送りコンベア（８）上で１箱の育苗箱（９）が移動する間に土入れ播種及び覆土の一連の播種作業を行うように構成するもので、このような一連の播種作業を行う播種工程である播種装置（１０）を、左右に２系列有する如く配設している。
【０００５】
また、前記播種台（１）の送りコンベア（８）の送り始端側に箱振分け装置（１１）を介し育苗箱自動供給装置（１２）を配設させ、前記供給装置（１２）から順次送り出される育苗箱（９）を、振分け装置（１１）でもって交互に左右に振分け、左右播種工程（１０）の各送りコンベア（８）に供給すると共に、各送りコンベア（８）の送り終端側に箱排出コンベア（１３）を介し箱積重ね装置（１４）を配設させ、前記送りコンベア（８）上で播種済みの育苗箱（９）を箱積重ね装置（１４）で順次多段に育苗台車（１５）に積重ねて、後工程の出芽室に搬送するように構成している。
【０００６】
前記供給装置（１２）は、育苗箱（９）を２階から１階の箱供給室（１６）に下降させる箱供給用エレベータ（１７）と、前記供給室（１６）から送り出される１箱毎の育苗箱（９）を振分け装置（１１）に順次搬送する箱供給コンベア（１８）とを備え、例えば時間当り略２０００箱のロット数の育苗箱（９）を１階の箱供給室（１６）に下降させると共に、この下降された育苗箱（９）より１箱（９）ずつを取出して一定時間毎に、振分け装置（１１）位置まで搬送するように構成している。
【０００７】
図３にも示す如く、前記振分け装置（１１）は、前記供給コンベア（１８）で搬送する育苗箱（９）が振分け位置に至るとき１箱ずつ交互に左右に振分ける振分けコンベア（１９）と、この振分けられた育苗箱（９）を左右播種台（１）前方の投入位置まで搬送する左右横送りコンベア（２０）と、左右横送りコンベア（２０）の送り終端と前記送りコンベア（８）の送り始端間に配設する投入コンベア（２１）とを備えるもので、前記振分けコンベア（１９）は、振分け位置の１箱分手前で育苗箱（９）を待機させる待機ストッパ（２２）と、振分け位置で左右移動を規制してこの解除時に左或いは右に育苗箱（９）を振分け移動させる左右振分けストッパ（２３）とを備えると共に、前記横送りコンベア（２０）は、投入位置となる該コンベア（２０）の送り終端の１箱分手前で育苗箱（９）を待機させる待機ストッパ（２４）と、投入位置の育苗箱（９）を投入コンベア（２１）に強制移動させる投入部材（２５）とを備え、前記供給コンベア（１８）が振分けコンベア（１９）に搬送される１回のロット数（略２０００箱）の育苗箱（９）のうち半分（１０００箱／時間）を左右播種台（１）にそれぞれ供給するように構成している。
【０００８】
そして図４に示す如く、前記供給装置（１２）から送り出す育苗箱の１回のロット数を設定する供給箱数設定器（２６）と、前記振分け装置（１１）で１回に振分ける箱数（例えば交互に１箱ずつ或いは２箱ずつなど）を設定する箱振分け数設定器（２７）と、前記エレベータ（１７）により供給される箱供給室（１６）の育苗箱（９）を検出する箱供給位置センサ（２８）と、振分けコンベア（１９）の振分け位置の育苗箱（９）を検出する箱振分け位置センサ（２９）と、横送りコンベア（２０）の投入位置の育苗箱（９）を検出する播種工程位置センサ（３０）と、箱積重ね装置（１４）の箱重ね位置の育苗箱（９）を検出する箱積重ね位置センサ（３１）とを備え、これら設定器（２６）（２７）と各センサ（２８）（２９）（３０）（３１）をコントローラ（３２）に入力接続させると共に、前記エレベータ（１７）と供給装置（１２）と箱振分け装置（１１）と播種装置（１０）と箱積重ね装置（１４）とにコントローラ（３２）を出力接続させて、育苗箱（９）の供給から播種及び播種後の育苗箱の積重ねまでの一連の作業を自動で行うように構成している。
【０００９】
而して図５に示す如く、２階からエレベータ（１７）で１回のロット数（略２０００箱）の育苗箱（９）が供給室（１６）に供給されるとき、前記供給コンベア（１８）に１箱毎の育苗箱（９）を取出して振分け装置（１１）まで搬送し、該振分け装置（１１）で交互に左右に振分け、振分け後は振分けコンベア（１９）でもって播種工程となる左右播種台（１）の投入位置まで搬送し、左右搬送台（１）に投入コンベア（２１）を介してそれぞれ１箱毎の育苗箱（９）を投入して、コンベア（８）で１箱の育苗箱（９）が移動する間に土入れ及び播種及び覆土の一連の播種作業を行うものである。そして播種済みの育苗箱（９）が積重ね装置（１４）まで移動するとき、この育苗箱（９）の育苗台車（１５）への積重ね収納が行われて、その収納が完了するとき育苗台車（１５）は出芽室に搬送されるもので、播種台（１）における１回のロット数の播種が終了するまで作業は続行され、１回のロット数の作業が完了するとき、再びエレベータ（１７）によって次回ロット数の育苗箱（９）が２階作業室より１階の箱供給室（１６）に供給され作業が行われるものである。
【００１０】
而して本実施例の場合、播種台（１）を左右略平行に並設させる２系列の播種装置（１０）に対し、単一の供給装置（１２）でもって育苗箱（９）の供給を行う構成として、２系列の播種装置（１０）にそれぞれ供給装置（１２）を備える従来手段に比べ、少なくとも供給装置（１２）の１基分、敷地面積の縮小や、建設コストの低減などを可能とさせることができて、この施設での経済的効果を著しく向上させることができるものである。
【００１１】
【発明の効果】
以上実施例から明らかなように、請求項１に係る発明は、土入れ及び播種及び覆土の一連の播種作業を行う複数系列の播種台（１）と、作業室の２階から１階の前記各播種台に育苗箱を供給する供給装置（１２）とを備えてなる播種施設において、前記供給装置（１２）からの前記育苗箱（９）を前記各播種台に振分ける振分けコンベア（１９）と、前記振分けコンベア（１９）からの前記育苗箱（９）を前記各播種台（１）の投入位置にそれぞれ搬送する複数の横送りコンベア（２０）と、前記振分けコンベア（１９）の振分け位置に対して少なくとも１箱分手前で前記育苗箱（９）を待機させる振分け待機ストッパ（２２）と、前記各横送りコンベア（２０）の送り終端に対して少なくとも１箱分手前で前記育苗箱（９）をそれぞれ待機させる横送り待機ストッパ（２４）と、前記育苗箱（９）を前記各横送りコンベア（２０）から前記各播種台（１）にそれぞれ移動させる複数の投入部材（２５）とを備えたものであるから、例えばエレベータ（１７）などを含む育苗箱供給装置（１２）をコンパクト化できて、建設コストを低減できるものである。
【図面の簡単な説明】
【図１】播種施設の平面説明図である。
【図２】播種施設の側面説明図ある。
【図３】振分け装置部の平面説明図である。
【図４】制御回路図である。
【図５】フローチャートである。
【符号の説明】
（１）  播種台
（９）  育苗箱
（１２）供給装置
（１９）振分けコンベア
（２０）横送りコンベア
（２２）振分け待機ストッパ
（２４）横送り待機ストッパ
（２５）投入部材
【図１】
0003720493.tif 000002
【図２】
0003720493.tif 000003
【図３】
0003720493.tif 000004
【図４】
0003720493.tif 000005
【図５】
0003720493.tif 000006